(57)【要約】【課題】  撮影画像の写損理由を容易に確認することができ、かつ撮影時の写損理由の発生を効率的に抑止するための情報を提供することができる撮影装置及びその制御方法、プログラムを提供する。【解決手段】  被写体の撮影画像が写損である場合に、その写損理由を入力する。入力された写損理由を、撮影画像を少なくとも含む撮影情報と対応づけて記憶媒体に記憶する。【選択図】  図１
2005204792.tif 000002
【特許請求の範囲】
【請求項１】
被写体を透過した透過放射線像を撮像して撮影画像を出力する撮影装置であって、
前記被写体の撮影画像が写損である場合に、その写損理由を受信する受信手段と、
前記受信手段で受信した写損理由を記憶媒体に記憶する記憶手段と
を備えることを特徴とする撮影装置。
【請求項２】
被写体を透過した透過放射線像を撮像して撮影画像を出力する撮影装置であって、
前記被写体の撮影画像が写損である場合に、その写損理由を入力する入力手段と、
前記入力手段で入力された写損理由を、前記撮影画像を少なくとも含む撮影情報と対応づけて記憶媒体に記憶する記憶手段と
を備えることを特徴とする撮影装置。
【請求項３】
前記記憶手段は、当該撮影装置の操作者別に前記写損理由と前記撮影情報とを記憶媒体に記憶する
ことを特徴とする請求項２に記載の撮影装置。
【請求項４】
前記撮影情報は、前記撮影画像の撮影条件情報を含む
ことを特徴とする請求項２に記載の撮影装置。
【請求項５】
前記撮影情報は、前記撮影画像に対応する被写体に関する被写体情報を含む
ことを特徴とする請求項２に記載の撮影装置。
【請求項６】
前記撮影画像に対する写損理由候補を表示する表示手段を更に備える
ことを特徴とする請求項２に記載の撮影装置。
【請求項７】
前記表示手段は、前記写損理由別にその発生頻度を表示する
ことを特徴とする請求項６に記載の撮影装置。
【請求項８】
前記表示手段は、当該撮影装置の操作者操作者別に写損理由を表示する
ことを特徴とする請求項６に記載の撮影装置。
【請求項９】
前記表示手段は、前記撮影画像に係る撮影条件別に写損理由を表示する
ことを特徴とする請求項６に記載の撮影装置。
【請求項１０】
前記表示手段は、前記撮影画像に対応する被写体に関する被写体情報別に写損理由を表示する
ことを特徴とする請求項６に記載の撮影装置。
【請求項１１】
被写体を透過した透過放射線像を撮像して撮影画像を出力する撮影装置であって、
前記被写体の撮影画像の写損理由と、前記撮影画像を少なくとも含む撮影情報と対応づけて記憶する記憶手段と、
新たな被写体を撮像する前に、前記記憶手段に記憶されている撮影画像の写損理由を表示する表示手段と
を備えることを特徴とする撮影装置。
【請求項１２】
前記表示手段は、前記写損理由別にその発生頻度を表示する
ことを特徴とする請求項１１に記載の撮影装置。
【請求項１３】
前記表示手段は、当該撮影装置の操作者別に写損理由を表示する
ことを特徴とする請求項１１に記載の撮影装置。
【請求項１４】
前記表示手段は、前記撮影画像に係る撮影条件別に写損理由を表示する
ことを特徴とする請求項１１に記載の撮影装置。
【請求項１５】
前記表示手段は、前記撮影画像に対応する被写体に関する被写体情報別に写損理由を表示する
ことを特徴とする請求項１１に記載の撮影装置。
【請求項１６】
被写体を透過した透過放射線像を撮像して撮影画像を出力する撮影装置の制御方法であって、
前記被写体の撮影画像が写損である場合に、その写損理由を受信する受信工程と、
前記受信工程で受信した写損理由を記憶媒体に記憶する記憶工程と
を備えることを特徴とする撮影装置の制御方法。
【請求項１７】
被写体を透過した透過放射線像を撮像して撮影画像を出力する撮影装置の制御方法であって、
前記被写体の撮影画像が写損である場合に、その写損理由を入力する入力工程と、
前記入力工程で入力された写損理由を、前記撮影画像を少なくとも含む撮影情報と対応づけて記憶媒体に記憶する記憶工程と
を備えることを特徴とする撮影装置の制御方法。
【請求項１８】
被写体を透過した透過放射線像を撮像して撮影画像を出力する撮影装置の制御方法であって、
前記被写体の撮影画像の写損理由と、前記撮影画像を少なくとも含む撮影情報と対応づけて記憶媒体に記憶する記憶工程と、
新たな被写体を撮像する前に、前記記憶媒体に記憶されている撮影画像の写損理由を表示する表示工程と
を備えることを特徴とする撮影装置の制御方法。
【請求項１９】
被写体を透過した透過放射線像を撮像して撮影画像を出力する撮影装置の制御を実現するプログラムであって、
前記被写体の撮影画像が写損である場合に、その写損理由を受信する受信工程のプログラムコードと、
前記受信手段で受信した写損理由を記憶媒体に記憶する記憶工程のプログラムコードと
を備えることを特徴とするプログラム。
【請求項２０】
被写体を透過した透過放射線像を撮像して撮影画像を出力する撮影装置の制御を実現するプログラムであって、
前記被写体の撮影画像が写損である場合に、その写損理由を入力する入力工程のプログラムコードと、
前記入力工程で入力された写損理由を、前記撮影画像を少なくとも含む撮影情報と対応づけて記憶媒体に記憶する記憶工程のプログラムコードと
を備えることを特徴とするプログラム。
【請求項２１】
被写体を透過した透過放射線像を撮像して撮影画像を出力する撮影装置の制御を実現するプログラムであって、
前記被写体の撮影画像の写損理由と、前記撮影画像を少なくとも含む撮影情報と対応づけて記憶媒体に記憶する記憶工程のプログラムコードと、
新たな被写体を撮像する前に、前記記憶媒体に記憶されている撮影画像の写損理由を表示する表示工程のプログラムコードと
を備えることを特徴とするプログラム。
【発明の詳細な説明】
【技術分野】
【０００１】
本発明は、被写体を透過した透過放射線像を撮像して撮影画像を出力する撮影装置及びその制御方法、プログラムに関するものである。
【背景技術】
【０００２】
ある種の蛍光体に放射線（Ｘ線、α線、β線、γ線、電子線、紫外線等）を照射すると、この放射線エネルギーの一部が蛍光体中に蓄積される。そして、この蛍光体に可視光等の励起光を照射すると、蓄積された放射線エネルギーに応じて蛍光体が輝尽発光を示すことが知られている。このような性質を示す蛍光体は、蓄積性蛍光体（輝尽性蛍光体）と呼ばれている。
【０００３】
この蓄積性蛍光体を利用して、人体等の被写体の放射線画像情報をシート状の蓄積性蛍光体シートに一旦記録し、この蓄積性蛍光体シートをレーザ光等の励起光で走査して輝尽発光光を発生させ、これにより得られた輝尽発光光を光電的に読み取って画像信号を得る。
【０００４】
そして、この画像信号に基づき写真感光材料等の記録材料、ＣＲＴ等の表示装置に被写体の放射線画像を可視像として出力させる放射線画像情報記録再生システムが提案されている（例えば、特許文献１、２を参照）。
【０００５】
また、近年においては、半導体センサを使用してＸ線画像を撮影するデジタルＸ線画像撮影装置を用いたシステムが開発されている。これらのシステムは、従来の銀塩写真を用いる放射線写真システムと比較して極めて広い放射線露出域にわたって画像を記録しうるという実用的な利点を有している。
【０００６】
即ち、非常に広いダイナミックレンジのＸ線を光電変換手段により読み取って電気信号に変換し、この電気信号を用いて写真感光材料等の記録材料、ＣＲＴ等の表示装置に放射線画像を可視像として出力させることによって、放射線露光量の変動に影響されない放射線画像を得ることができる。
【特許文献１】特開昭５５−１２４２９号公報
【特許文献２】特開昭５６−１１３９５号公報
【発明の開示】
【発明が解決しようとする課題】
【０００７】
ところで、従来のフィルム、スクリーンシステムにおいては、透過Ｘ線量が十分でない場合は、フィルムに十分な黒化が得られなかったり、透過Ｘ線量が多すぎる場合においては、フィルムが黒くなり過ぎたりといった、観察用には適さない失敗のフィルムが発生することがあった。このような失敗のフィルムを、写損と呼んでいる。また、透過Ｘ線量の過不足だけでなく、被写体である患者が不用意に動いてしまったような場合も写損となる。
【０００８】
写損となったフィルムは、診断に利用されず一括して箱等の収納部に入れられる。月末に、この収納部に入れられた写損フィルムの枚数を数え、使用フィルム枚数の集計作業に利用する。この作業では写損フィルムの枚数を数えても、写損理由別や、操作者別に集計することはない。
【０００９】
一方、デジタルＸ線画像撮影装置の場合、例え、写損が発生したとしても、フィルムに 出力したりしない限り枚数を数えることはできない。また、写損した撮影画像は、それ自体が画像サーバにも転送されないので、写損したことは記録には残らない。
【００１０】
本発明は上記の課題に鑑みてなされたものであり、撮影画像の写損理由を容易に確認することができ、かつ撮影時の写損理由の発生を効率的に抑止するための情報を提供することができる撮影装置及びその制御方法、プログラムを提供することを目的とする。
【課題を解決するための手段】
【００１１】
上記の目的を達成するための本発明による撮影装置は以下の構成を備える。即ち、
被写体を透過した透過放射線像を撮像して撮影画像を出力する撮影装置であって、
前記被写体の撮影画像が写損である場合に、その写損理由を受信する受信手段と、
前記受信手段で受信した写損理由を記憶媒体に記憶する記憶手段と
を備える。
【００１２】
上記の目的を達成するための本発明による撮影装置は以下の構成を備える。即ち、
被写体を透過した透過放射線像を撮像して撮影画像を出力する撮影装置であって、
前記被写体の撮影画像が写損である場合に、その写損理由を入力する入力手段と、
前記入力手段で入力された写損理由を、前記撮影画像を少なくとも含む撮影情報と対応づけて記憶媒体に記憶する記憶手段と
を備える。
【００１３】
また、好ましくは、前記記憶手段は、当該撮影装置の操作者別に前記写損理由と前記撮影情報とを記憶媒体に記憶する。
【００１４】
また、好ましくは、前記撮影情報は、前記撮影画像の撮影条件情報を含む。
【００１５】
また、好ましくは、前記撮影情報は、前記撮影画像に対応する被写体に関する被写体情報を含む。
【００１６】
また、好ましくは、前記撮影画像に対する写損理由候補を表示する表示手段を更に備える。
【００１７】
また、好ましくは、前記表示手段は、前記写損理由別にその発生頻度を表示する。
【００１８】
また、好ましくは、前記表示手段は、当該撮影装置の操作者操作者別に写損理由を表示する。
【００１９】
また、好ましくは、前記表示手段は、前記撮影画像に係る撮影条件別に写損理由を表示する。
【００２０】
また、好ましくは、前記表示手段は、前記撮影画像に対応する被写体に関する被写体情報別に写損理由を表示する。
【００２１】
上記の目的を達成するための本発明による撮影装置は以下の構成を備える。即ち、
被写体を透過した透過放射線像を撮像して撮影画像を出力する撮影装置であって、
前記被写体の撮影画像の写損理由と、前記撮影画像を少なくとも含む撮影情報と対応づけて記憶する記憶手段と、
新たな被写体を撮像する前に、前記記憶手段に記憶されている撮影画像の写損理由を表示する表示手段と
を備える。
【００２２】
また、好ましくは、前記表示手段は、前記写損理由別にその発生頻度を表示する。
【００２３】
また、好ましくは、前記表示手段は、当該撮影装置の操作者別に写損理由を表示する。
【００２４】
また、好ましくは、前記表示手段は、前記撮影画像に係る撮影条件別に写損理由を表示する。
【００２５】
また、好ましくは、前記表示手段は、前記撮影画像に対応する被写体に関する被写体情報別に写損理由を表示する。
【００２６】
上記の目的を達成するための本発明による撮影装置の制御方法は以下の構成を備える。即ち、
被写体を透過した透過放射線像を撮像して撮影画像を出力する撮影装置の制御方法であって、
前記被写体の撮影画像が写損である場合に、その写損理由を受信する受信工程と、
前記受信工程で受信した写損理由を記憶媒体に記憶する記憶工程と
を備える。
【００２７】
上記の目的を達成するための本発明による撮影装置の制御方法は以下の構成を備える。即ち、
被写体を透過した透過放射線像を撮像して撮影画像を出力する撮影装置の制御方法であって、
前記被写体の撮影画像が写損である場合に、その写損理由を入力する入力工程と、
前記入力工程で入力された写損理由を、前記撮影画像を少なくとも含む撮影情報と対応づけて記憶媒体に記憶する記憶工程と
を備える。
【００２８】
上記の目的を達成するための本発明による撮影装置の制御方法は以下の構成を備える。即ち、
被写体を透過した透過放射線像を撮像して撮影画像を出力する撮影装置の制御方法であって、
前記被写体の撮影画像の写損理由と、前記撮影画像を少なくとも含む撮影情報と対応づけて記憶媒体に記憶する記憶工程と、
新たな被写体を撮像する前に、前記記憶媒体に記憶されている撮影画像の写損理由を表示する表示工程と
を備える。
【００２９】
上記の目的を達成するための本発明によるプログラムは以下の構成を備える。即ち、
被写体を透過した透過放射線像を撮像して撮影画像を出力する撮影装置の制御を実現するプログラムであって、
前記被写体の撮影画像が写損である場合に、その写損理由を受信する受信工程のプログラムコードと、
前記受信工程で受信した写損理由を記憶媒体に記憶する記憶工程のプログラムコードと
を備える。
【００３０】
上記の目的を達成するための本発明によるプログラムは以下の構成を備える。即ち、
被写体を透過した透過放射線像を撮像して撮影画像を出力する撮影装置の制御を実現するプログラムであって、
前記被写体の撮影画像が写損である場合に、その写損理由を入力する入力工程のプログラムコードと、
前記入力工程で入力された写損理由を、前記撮影画像を少なくとも含む撮影情報と対応づけて記憶媒体に記憶する記憶工程のプログラムコードと
を備える。
【００３１】
上記の目的を達成するための本発明によるプログラムは以下の構成を備える。即ち、
被写体を透過した透過放射線像を撮像して撮影画像を出力する撮影装置の制御を実現するプログラムであって、
前記被写体の撮影画像の写損理由と、前記撮影画像を少なくとも含む撮影情報と対応づけて記憶媒体に記憶する記憶工程のプログラムコードと、
新たな被写体を撮像する前に、前記記憶媒体に記憶されている撮影画像の写損理由を表示する表示工程のプログラムコードと
を備える。
【発明の効果】
【００３２】
本発明によれば、撮影画像の写損理由を容易に確認することができ、かつ撮影時の写損理由の発生を効率的に抑止するための情報を提供することができる撮影装置及びその制御方法、プログラムを提供できる。
【発明を実施するための最良の形態】
【００３３】
以下、本発明の実施の形態について図面を用いて詳細に説明する。
【００３４】
図１は本発明の実施形態のＸ線画像撮影装置のシステム構成の一例を示す図である。
【００３５】
尚、図中の矢印は、情報及びコマンドの流れを示している。
【００３６】
図１において、Ｘ線画像撮影装置は、立位センサユニット１０１と、臥位センサユニット１０２と、高電圧発生部１０３と、Ｘ線管球１０４と、システム制御部１０５と、表示部（例えば、ＣＲＴやＬＣＤ等）１０６とを備えて構成されている。
【００３７】
また、１０７はネットワークである。ここで、Ｘ線画像撮影装置は、ネットワーク１０７を介して、ネットワーク１０７上のＨＩＳ（Hospital Information System）／ＲＩＳ（Radiology Information System ）サーバ（不図示）や画像管理サーバ（不図示）と接続されている。
【００３８】
尚、ＨＩＳ／ＲＩＳサーバは、Ｘ線画像撮影装置の撮影に係る撮影条件情報や被写体情報をＸ線画像撮影装置へ送信したり、Ｘ線画像撮影装置による撮影の実施結果を管理するデータベースサーバとして機能する。
【００３９】
また、ネットワーク１０７は、典型的にはインターネットやＬＡＮやＷＡＮや電話回線、専用デジタル回線、ＡＴＭやフレームリレー回線、通信衛星回線、ケーブルテレビ回線、データ放送用無線回線等のいずれか、またはこれらの組み合わせにより実現されるいわゆる通信ネットワークであり、データの送受信が可能であれば良い。
【００４０】
システム制御部１０５は、立位センサユニット１０１、臥位センサユニット１０２、高電圧発生部１０３及びＸ線画像撮影装置に係る撮影シーケンスの制御を行う。また、システム制御部１０５には、例えば、汎用コンピュータの構成要素（例えば、ＣＰＵ、メモリ（ＲＡＭ、ＲＯＭ等）、ハードディスク、外部記憶装置（ＣＤ−ＲＯＭドライブ、ＤＶＤ−ＲＯＭ／ＲＡＭドライブ等）、ネットワークインタフェース等）を有している。
【００４１】
立位センサユニット１０１と臥位センサユニット１０２は、それぞれ被写体Ｓを透過したＸ線量に相当する電荷を、ＡＤ変換して電子画像としてシステム制御部１０５に転送する。尚、以下の説明では、被写体Ｓを必要に応じて患者と称する。
【００４２】
表示部１０６は、高電圧発生部１０３や、Ｘ線撮影に関わる設定のための操作を操作者に行わせるためのグラフィックユーザインタフェースを表示する。このグラフィックユーザインタフェースが提供する操作画面では、更に、患者（被写体Ｓ）の氏名、性別、年齢等からなる被写体情報や、撮影画像等を含む撮影情報を表示する。
【００４３】
ここで、操作画面の一例について、図２を用いて説明する。
【００４４】
図２は本発明の実施形態の操作画面の一例を示す図である。
【００４５】
本実施形態の表示部１０６は、例えば、液晶ディスプレイとアナログ抵抗膜式タッチセンサーシートとにより構成されたタッチパネルを適用する。この表示部１０６は、撮影された画像（撮影画像）を撮影画像領域２０２に表示する。図２の例では、まだ、撮影がなされていない場合を示しているので、撮影画像は表示されていないが、胸部の撮影で正面及び側面の撮影を行う場合などでは、はじめに撮影された胸部正面の撮影画像が撮影画像領域２０２に表示されることになる。
【００４６】
２０１は、ＨＩＳ／ＲＩＳサーバから受信した被写体情報（患者情報）表示する被写体情報表示領域である。被写体情報表示領域２０１には、患者名、性別、年齢、患者ＩＤ等の被写体情報（患者情報）が表示される。
【００４７】
２０３は立位センサユニット１０１へ切り替える立位センサユニットボタンであり、２０４は臥位センサユニット１０２へ切り替える臥位センサユニットボタンである。立位センサユニットボタン２０３を押下した場合は、立位センサユニット１０１のセンサがレディ状態になり、後述の撮影メニュー２０５が立位用撮影の撮影メニューに切り替わる。一方、臥位センサユニットボタン２０４を押下した場合は、臥位センサユニット１０２のセンサがレディ状態になり、後述の撮影メニュー２０５が臥位用撮影の撮影メニューに切り替わる。
【００４８】
２０５は撮影メニューであり、各種撮影部位を指定するための部位ボタン群が構成されている。ここでは、「胸部Ｐ→Ａ」ボタン、即ち、胸部正面の撮影をする例を示している。この撮影メニュー上の部位ボタン群から任意の部位ボタンを押下することで、所望の部位選択が決定する。部位ボタンが押下されると、後述する写損理由表示領域２０７の表示が切り替わる。
【００４９】
２０６は操作者を表示する操作者名表示選択領域である。例えば、操作者名表示選択領域２０６は、プルダウンメニューで構成されている。そして、このプルダウンメニューから任意の操作者を選択することで、操作者名を変更することが可能である。操作者名を変更する場合は、本人であることを確認するためにパスワードを入力するためのパスワード入力画面が表示される。
【００５０】
写損理由表示領域２０７は、例えば、過去に撮影された撮影画像が写損となった理由を撮影条件別、部位別、性別別、年齢別、操作者別に分類して表示する。本例では、部位が胸部正面、性別が男性、年齢が成人というカテゴリで写損理由を抽出して表示している。ここでは、撮影線量の過不足、患者の呼吸量の過不足等の写損理由を撮影前に表示して、操作者に写損にならないように注意を喚起する。
【００５１】
２０８は撮影条件表示領域である。撮影条件は部位毎に、管電圧、管電流、曝射時間、撮影距離等があらかじめ設定されており、撮影メニュー２０５で任意の部位ボタンが選択されると、対応する撮影条件の設定値が撮影条件表示領域２０７に表示される。
【００５２】
２０９は詳細な統計を表示する統計画面に遷移するための統計画面遷移ボタンである。この統計画面では、例えば、操作者別に写損理由を表示することができる。これの詳細については、後述する。
【００５３】
次に、撮影後に表示部１０６の撮影画像表示領域２０１に表示される画像確認画面の一例について、図３を用いて説明する。
【００５４】
図３は本発明の実施形態の画像確認画面の一例を示す図である。
【００５５】
３０１は、撮影された画像（撮影画像）を表示する撮影画像表示領域である。操作者が撮影画像を確認後、画像に問題が無ければ、ＯＫボタン３０２を押下することで、その撮影画像が確定され、例えば、システム制御部１０５内のハードディスクに記憶されている。一方、線量不足、線量過多、患者の動き等の写損理由があると判断される場合は、写損ボタン３０３を押下する。この場合、写損理由を選択するための写損理由選択画面（図４）が表示される。
【００５６】
３０４は撮影画像表示領域３０１で表示されている撮影画像より前に撮影された撮影画像を選択して撮影画像表示領域３０１に表示する前画像選択ボタンである。また、３０５は撮影画像表示領域３０１で表示されている撮影画像より後に撮影された撮影画像を撮影画像表示領域３０１に表示する後画像選択ボタンである。
【００５７】
尚、撮影時に、ＯＫボタン３０２を一旦押下した撮影画像でも、この画像選択ボタンを用いて、適宜、所望の撮影画像に対して写損ボタン３０３を押下し直すことが可能である。また、写損ボタン３０３が押下された場合の撮影画像であっても、写損理由選択画面（図４）上で写損理由が選択されずに、撮影を終了しようとすると、写損理由を選択するように注意を促すダイアログが表示される。
【００５８】
次に、写損ボタン３０３が押下された場合に表示される写損理由を選択するための写損理由選択画面の一例について、図４を用いて説明する。
【００５９】
図４は本発明の実施形態の写損理由選択画面の一例を示す図である。
【００６０】
４０１は写損理由選択メニューであり、複数種類の写損理由候補が表示され、操作者は、これらから任意の写損理由候補を選択することで、最終的な写損理由を入力することが可能である。また、写損理由候補が写損理由選択メニュー４０１に存在しない場合は、追加登録することが可能である。特に、写損理由を追加登録する場合は、例えば、専用のテキスト入力ボックスを用いて、キーボードで文字を入力することによって実現することができる。
【００６１】
次に、写損理由表示領域２０７に表示される写損理由統計表示画面の一例について、図５を用いて説明する。
【００６２】
図５は本発明の実施形態の写損理由統計表示画面の一例を示す図である。
【００６３】
尚、図２の例では、撮影前に撮影条件別、部位別、性別別、年齢別に写損理由を表示している例を示しているが、図５では、操作者別に写損理由を表示する例を示している。
【００６４】
５０１は操作者を選択するプルダウンメニューからなる操作者名表示選択領域であり、Ｘ線画像撮影装置の操作者各人の氏名を任意に選択することができる。操作者全員を選択すると、操作者全員の写損理由の統計が表示される。
【００６５】
５０２は写損理由の統計をとる範囲である統計期間を設定するメニューからなる期間選択領域である。統計期間としては、例えば、１ヶ月、３ヶ月、６ヶ月、１年等の複数種類の所定期間単位がある。
【００６６】
５０３は統計を集計する月日を設定するメニューからなる月日選択領域である。
【００６７】
５０４は写損理由の表示方法を決定するメニューからなる表示方法選択領域である。ここでは、発生頻度の多い順で写損理由を表示している例を示しているが、最近、写損した撮影画像を順に履歴表示することも可能である。また、操作者全体で写損が多い順等でソートし、表示することが可能である。
【００６８】
５０５は印刷ボタンである。写損理由統計表示画面を記録用紙に印刷する際に押下する。
【００６９】
尚、ここでは、記録用紙に写損理由統計表示画面を印刷する例を示しているが、写損理由統計表示画面で表示されている統計値を、例えば、写損理由別に、ＣＶＳ（Ｃｏｍｍａ  Ｓｅｐａｒａｔｅ  Ｖａｌｕｅ）形式等のテキストデータとして、Ｘ線画像撮影装置内のハードディスクやＨＩＳ／ＲＩＳサーバに出力することも可能である。
【００７０】
次に、本実施形態のＸ線画像撮影装置が実行する処理の一例について、図６を用いて説明する。
【００７１】
図６は本発明の実施形態のＸ線画像撮影装置が実行する処理を示すフローチャートである。
【００７２】
まず、ステップＳ６０１において、表示部１０６で、操作画面（図２）の操作者名表示選択領域２０６に対する操作者による操作に基づいて、操作者名を選択する。
【００７３】
次に、ステップＳ６０２において、操作者名を選択した後、その操作者が本人であるか否かを確認するためのパスワードを入力するためのパスワード入力画面を表示して、パスワードの入力を受け付ける。
【００７４】
次に、ステップＳ６０３において、システム制御部１０５のメモリにあらかじめ登録されているパスワードと、ステップＳ６０２で入力されたパスワードが一致しているか否かを判定する。パスワードが一致している場合（ステップＳ６０３でＹＥＳ）、ステップＳ６０４に進む。一方、パスワードが一致していない場合（ステップＳ６０３でＮＯ）、ステップＳ６０２に戻り、パスワードの再入力を促す。
【００７５】
尚、パスワードの再入力は、例えば、その再入力回数を所定回数（例えば、３回）までに制限して、その所定回数までに、パスワードが一致しない場合には、不正な操作者によるパスワード入力とみなして処理を終了するようにしても良い。
【００７６】
次に、ステップＳ６０４において、システム制御部１０５は、ネットワーク１０７に接続されたＨＩＳ／ＲＩＳサーバから受信した患者情報や撮影条件情報に基づいて、患者（被写体Ｓ）の撮影シーケンスを実行する。
【００７７】
次に、ステップＳ６０５において、立位センサユニット１０１または臥位センサユニット１０２で、患者（被写体Ｓ）を透過したＸ線量に基づいて電子画像が形成され、システム制御部１０５で画像処理された画像が、撮影画像表示領域３０１に表示される。
【００７８】
次に、ステップＳ６０６において、操作者は、撮影画像表示領域３０１に表示された撮影画像を確認して、その撮影画像が写損であるか否かを判断する。その判断に応じて、写損ボタン３０３あるいはＯＫボタン３０２を押下する。
【００７９】
そのため、ステップＳ６０６では、写損ボタン３０３及びＯＫボタン３０２の押下の有無を判定する。ＯＫボタン３０２が押下された場合（ステップＳ６０６でＮＯ）、ステップＳ６０７に進み、撮影画像をネットワーク１０７を介してＨＩＳ／ＲＩＳサーバに出力する。
【００８０】
一方、写損ボタン３０３が押下された場合（ステップＳ６０６でＹＥＳ）、ステップＳ６０８に進み、写損理由選択画面（図４）を表示して、操作者による写損理由の理由の選択を受け付ける。
【００８１】
次に、ステップＳ６０９において、選択された写損理由と撮影情報と（操作者、撮影ユニット（ここでは、立位センサユニット１０１あるいは臥位センサユニット１０２）、撮影部位、撮影日時、撮影条件、性別、年齢等）が対応づけられて、システム制御部１０６内のハードディスクやメモリに記憶される。その後、写損が発生しているため、ステップＳ６０４に戻って、再撮影が実行される。
【００８２】
尚、図６では、ステップＳ６０６で写損ボタン３０３が押下された場合に、ステップＳ６０８で写損理由選択画面を表示して写損理由を操作者に選択させる構成としているが、再撮影が終了した後に、写損理由選択画面（図４）を表示して写損理由を操作者に選択させる構成としても良い。この構成では、再撮影後に写損理由を選択することにより、撮影を途切らせることなく、処理を進めることが可能になるため、操作効率を向上することができる。
【００８３】
また、図５の写損理由統計表示画面は、システム制御部１０６内のハードディスクやメモリに記憶された写損理由と撮影情報に基づいて生成されることは言うまでもない。
【００８４】
更に、ステップＳ６０９では、写損理由と撮影情報とを対応づけてシステム制御部１０６内のハードディスクやメモリに記憶する構成としているが、用途や目的に応じて、操作者別、撮影条件別、被写体別等の任意の分類別に、写損理由をシステム制御部１０６内のハードディスクやメモリに記憶する構成としても良い。
【００８５】
以上説明したように、本実施形態によれば、撮影画像の写損理由及び対応する撮影情報（例えば、操作者名等）を分類して表示することによって、操作者に対して撮影画像の写損理由を容易に認識させることができる。
【００８６】
また、撮影前に写損理由を予め提示することで、撮影に対する操作の注意点を認識させることができる。これにより、操作者による撮影精度のばらつきが生じてしまうことを可及的に少なくすることができる。
【００８７】
以上、実施形態例を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【００８８】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００８９】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００９０】
その場合、プログラムの機能を有していれば、オブジェクトコード、インタプリタにより実行されるプログラム、ＯＳに供給するスクリプトデータ等の形態であっても良い。
【００９１】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００９２】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００９３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００９４】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００９５】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【００９６】
【図１】本発明の実施形態のＸ線画像撮影装置のシステム構成の一例を示す図である。
【図２】本発明の実施形態の操作画面の一例を示す図である。
【図３】本発明の実施形態の画像確認画面の一例を示す図である。
【図４】本発明の実施形態の写損理由選択画面の一例を示す図である。
【図５】本発明の実施形態の写損理由統計表示画面の一例を示す図である。
【図６】本発明の実施形態のＸ線画像撮影装置が実行する処理を示すフローチャートである。
【符号の説明】
【００９７】
１０１  立位センサユニット
１０２  臥位センサユニット
１０３  高電圧発生部
１０４  Ｘ線管球
１０５  システム制御部
１０６  表示部
１０７  ネットワーク
【図１】
2005204792.tif 000003
【図２】
2005204792.tif 000004
【図３】
2005204792.tif 000005
【図４】
2005204792.tif 000006
【図５】
2005204792.tif 000007
【図６】
2005204792.tif 000008